(57)【要約】  上りリンクにおいて、基地局装置とＨＡＲＱを用いて通信を行うユーザ装置は、前記基地局装置に対して上りリンクの信号を送信する送信部；前記上りリンクの信号の再送の要否を通知する制御信号を受信する受信部；及び前記制御信号の信号の信頼度が低い場合に、前記制御信号をＡＣＫとみなし、前記制御信号の信号の信頼度が高い場合に、前記制御信号の示す情報に基づいて、ＡＣＫまたはＮＡＣＫのいずれかを識別する復号部；を備える。
2009128404.tif 000002
【特許請求の範囲】
【請求項１】
上りリンクにおいて、基地局装置とＨＡＲＱを用いて通信を行うユーザ装置であって：
前記基地局装置に対して上りリンクの信号を送信する送信部；
前記上りリンクの信号の再送の要否を通知する制御信号を受信する受信部；及び
前記制御信号の信号の信頼度が低い場合に、前記制御信号をＡＣＫとみなし、前記制御信号の信号の信頼度が高い場合に、前記制御信号の示す情報に基づいて、ＡＣＫまたはＮＡＣＫのいずれかを識別する復号部；
を備えることを特徴とするユーザ装置。
【請求項２】
請求項１に記載のユーザ装置であって：
前記制御信号の信号の信頼度とは、前記制御信号のＳｉｎｇａｌ−ｔｏ−Ｉｎｔｅｒｆｅｒｅｎｃｅ  Ｒａｔｉｏであることを特徴とするユーザ装置。
【請求項３】
請求項１に記載のユーザ装置であって：
前記復号部は、
所定の閾値を定義し、
前記制御信号の信号の信頼度が所定の閾値よりも小さい場合に、前記制御信号をＡＣＫとみなし、
前記制御信号の信号の信頼度が所定の閾値よりも大きい場合に、前記制御信号の示す情報に基づいて、ＡＣＫまたはＮＡＣＫのいずれかを識別することを特徴とするユーザ装置。
【請求項４】
請求項３に記載のユーザ装置であって：
前記閾値は、ＡＣＫ  ｔｏ  ＮＡＣＫ誤りの所要品質またはＮＡＣＫ  ｔｏ  ＡＣＫ誤りの所要品質の少なくとも１つに基づいて設定されることを特徴とするユーザ装置。
【請求項５】
請求項１または３に記載のユーザ装置であって：
前記復号部は、
前記制御信号の示す情報の符号が「＋」である場合にＡＣＫとみなし、前記制御信号の示す情報の符号が「−」である場合にＮＡＣＫとみなすことを特徴とするユーザ装置。
【請求項６】
請求項１に記載のユーザ装置であって：
前記制御信号は、物理ＨＡＲＱインディケータチャネルであることを特徴とするユーザ装置。
【請求項７】
上りリンクにおいて、基地局装置とＨＡＲＱを用いて通信を行うユーザ装置における通信制御方法であって：
前記基地局装置に対して上りリンクの信号を送信する第１ステップ；
前記上りリンクの信号の再送の要否を通知する制御信号を受信する第２ステップ；及び
前記制御信号の信号の信頼度が低い場合に、前記制御信号をＡＣＫとみなし、前記制御信号の信号の信頼度が高い場合に、前記制御信号の示す情報に基づいて、ＡＣＫまたはＮＡＣＫのいずれかを識別する第３ステップ；
を備えることを特徴とする通信制御方法。
【発明の詳細な説明】
【技術分野】
【０００１】
本発明は、ＨＡＲＱ制御を適用する移動通信システムに関し、特にユーザ装置に関する。
【背景技術】
【０００２】
この種の技術分野では、ＷＣＤＭＡやＨＳＤＰＡの後継となる次世代通信方式が、ＷＣＤＭＡの標準化団体３ＧＰＰにより検討されている。次世代通信システムの代表例は、ロングタームエボリューション(ＬＴＥ:  Ｌｏｎｇ  Ｔｅｒｍ  Ｅｖｏｌｕｔｉｏｎ)である。ＬＴＥにおける無線アクセス方式は、下りリンクについてはＯＦＤＭ (Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)、上りリンクについてはＳＣ-ＦＤＭＡ(Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ)である（例えば、非特許文献１及び２参照）。以下、説明の便宜上、ＬＴＥを例にとって説明するが、本発明はそのようなシステムに限定されない。【０００３】
ＯＦＤＭは、周波数帯域を複数の狭い周波数帯域（サブキャリア）に分割し、各周波数帯上にデータを載せて伝送を行うマルチキャリア方式の技術である。サブキャリアを周波数上に、一部重なりあいながらも互いに干渉することなく密に並べることで、高速伝送を実現し、周波数の利用効率を上げることができる。【０００４】
ＳＣ-ＦＤＭＡは、フーリエ変換及び逆フーリエ変換を利用することで、周波数帯域を分割し、複数の端末間で異なる周波数帯域を利用できるようにするシングルキャリア方式の技術である。ＳＣ-ＦＤＭＡ方式では、端末間の干渉を低減することができ、送信電力の変動が小さくなる等の特徴を持つので、端末の低消費電力化及びカバレッジの拡大等に有利である。【０００５】
ＬＴＥでは、上りリンク、下りリンクともに１つないし２つ以上の物理チャネルを複数の移動局（ユーザ装置）で共有して通信を行うシステムである。上記複数の移動局で共有されるチャネルは、一般に共有チャネルと呼ばれ、ＬＴＥにおいては、上りリンクにおいては物理上りリンク共有チャネル(ＰＵＳＣＨ:Ｐｈｙｓｉｃａｌ  Ｕｐｌｉｎｋ  Ｓｈａｒｅｄ  Ｃｈａｎｎｅｌ)であり、下りリンクにおいては物理下りリンク共有チャネル(ＰＤＳＣＨ:Ｐｈｙｓｉｃａｌ  Ｄｏｗｎｌｉｎｋ  Ｓｈａｒｅｄ  Ｃｈａｎｎｅｌ)である。また、上記ＰＵＳＣＨおよびＰＤＳＣＨにマッピングされるトランスポートチャネルは、それぞれ、Ｕｐｌｉｎｋ-Ｓｈａｒｅｄ  Ｃｈａｎｎｅｌ(ＵＬ-ＳＣＨ)およびＤｏｗｎｌｉｎｋ-Ｓｈａｒｅｄ  Ｃｈａｎｎｅｌ(ＤＬ-ＳＣＨ)と言及される。
そして、上述したような共有チャネルを用いた通信システムにおいては、サブフレーム毎に、どの移動局に対して上記共有チャネルを割り当てるかのシグナリングする必要があり、上記シグナリングのために用いられる制御チャネルは、ＬＴＥでは、物理下りリンク制御チャネル(ＰＤＣＣＨ:Ｐｈｙｓｉｃａｌ  Ｄｏｗｎｌｉｎｋ  Ｃｏｎｔｒｏｌ  Ｃｈａｎｎｅｌ)と呼ばれる。尚、前記ＰＤＣＣＨは、下りＬ１／Ｌ２制御チャネル(Ｄｏｗｎｌｉｎｋ  Ｌ１／Ｌ２  Ｃｏｎｔｒｏｌ  Ｃｈａｎｎｅｌ)、ＤＬ  Ｌ１／Ｌ２制御チャネル、または下りリンク制御情報(ＤＣＩ:  Ｄｏｗｎｌｉｎｋ  Ｃｏｎｔｒｏｌ  Ｉｎｆｏｒｍａｔｉｏｎ)とも呼ばれる。上記ＰＤＣＣＨの情報には、例えば、下り／上りスケジューリンググラント(ＤＬ／ＵＬ  Ｓｃｈｅｄｕｌｉｎｇ  Ｇｒａｎｔ)、送信電力制御(ＴＰＣ：  Ｔｒａｎｓｍｉｓｓｉｏｎ  Ｐｏｗｅｒ  Ｃｏｎｔｒｏｌ)ビットが含まれる（非特許文献３）。【０００６】
より具体的には、ＤＬスケジューリンググラントには、例えば、
下りリンクのリソースブロック(Ｒｅｓｏｕｒｃｅ  Ｂｌｏｃｋ)の割り当て情報、
ユーザ装置（ＵＥ）のＩＤ、
ストリームの数、
プリコーディングベクトル(Ｐｒｅｃｏｄｉｎｇ  Ｖｅｃｔｏｒ)に関する情報、
データサイズ及び変調方式に関する情報
ＨＡＲＱ(Ｈｙｂｒｉｄ  Ａｕｔｏｍａｔｉｃ  Ｒｅｐｅａｔ  ｒｅＱｕｅｓｔ)に関する情報
等が含まれてよい。ＤＬスケジューリンググラントは、ＤＬアサイメント情報(ＤＬ  Ａｓｓｉｇｎｍｅｎｔ  Ｉｎｆｏｒｍａｔｉｏｎ)、ＤＬスケジューリング情報等と呼ばれてもよい。【０００７】
また、ＵＬスケジューリンググラントにも、例えば、
上りリンクのリソースブロックの割り当て情報、
ユーザ装置（ＵＥ）のＩＤ、
データサイズ及び変調方式に関する情報、
上りリンクの送信電力情報、
復調用のリファレンス信号(Ｄｅｍｏｄｕｌａｔｉｏｎ  Ｒｅｆｅｒｅｎｃｅ  Ｓｉｇｎａｌ)の情報
等が含まれてよい。【０００８】
上記ＰＤＣＣＨは、１サブフレーム(Ｓｕｂ−ｆｒａｍｅ)内の例えば１４個のＯＦＤＭシンボルの内、先頭から１〜３つのＯＦＤＭシンボルにマッピングされる。先頭からいくつのＯＦＤＭシンボルにＰＤＣＣＨがマッピングされるかは、後述するＰＣＦＩＣＨにより指定され、ユーザ装置に通知される。【０００９】
また、ＰＤＣＣＨを含むＯＦＤＭシンボルでは、物理制御フォーマットインディケータチャネル(ＰＣＦＩＣＨ:  Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)や、物理ＨＡＲＱインディケータチャネル(ＰＨＩＣＨ:  Ｐｈｙｓｉｃａｌ  Ｈｙｂｒｉｄ  ＡＲＱ  Ｉｎｄｉｃａｔｏｒ  Ｃｈａｎｎｅｌ)も送信される。【００１０】
ＰＣＦＩＣＨは、ＰＤＣＣＨを含むＯＦＤＭシンボル数をユーザ装置に通知するための信号である。前記ＰＣＦＩＣＨは、下りＬ１／Ｌ２制御フォーマットインディケータ(ＤＬ  Ｌ１／Ｌ２  Ｃｏｎｔｒｏｌ  Ｆｏｒｍａｔ  Ｉｎｄｉｃａｔｏｒ)と呼ばれてもよい。【００１１】
ＰＨＩＣＨは、上りリンクの物理共有チャネル(ＰＵＳＣＨ)に関する送達確認情報を送信するチャネルである。送達確認情報には、肯定応答であるＡＣＫ(Ａｃｋｎｏｗｌｅｄｇｅｍｅｎｔ)と否定応答であるＮＡＣＫ(Ｎｅｇａｔｉｖｅ  Ａｃｋｎｏｗｌｅｄｇｅｍｅｎｔ)が存在する。すなわち、ＰＨＩＣＨは、上りリンクの物理共有チャネル（ＰＵＳＣＨ）のためのＨＡＲＱ制御における再送の要否を通知する制御信号を伝送する制御チャネルである。【００１２】
ここで、上りリンクの物理共有チャネル（ＰＵＳＣＨ）のためのＨＡＲＱ制御、及び、前記ＰＨＩＣＨにより送信される送達確認情報に関して、さらに詳細に説明を行う（非特許文献４）。【００１３】
ＬＴＥ方式の上りリンクの物理共有チャネル（ＰＵＳＣＨ）では、ＨＡＲＱの方式として、同期型のハイブリッド自動再送制御（Ｓｙｎｃｈｒｏｎｏｕｓ ＨＡＲＱ）が適用されている。【００１４】
すなわち、上りリンクの共有チャネルを介して、上りリンク共有信号は、図１に示すように、初回送信のタイミングから、予め決められたタイミングで、より具体的には、一定の周期で再送される。【００１５】
図１においては、８サブフレームの周期で、上りリンク共有信号が再送されている。なお、上りリンク共有信号は、８サブフレーム以外の周期で再送されてもよい。【００１６】
また、上りリンク共有信号の再送は、ＨＡＲＱインディケータチャネル、又は、ＵＬスケジューリンググラントにより、基地局装置からユーザ装置に対して指示される。【００１７】
ＨＡＲＱインディケータチャネルにより、上りリンク共有信号の再送が指示される場合、すなわち、前記ＨＡＲＱインディケータの示す情報がＮＡＣＫである場合には、ユーザ装置は、前回の送信と同じリソースブロック及び変調方式を用いて、上りリンク共有信号を再送する。【００１８】
一方、ＵＬスケジューリンググラントにより、上りリンク共有信号の再送が指示される場合には、ユーザ装置は、かかるＵＬスケジューリンググランにより指定されるリソースブロック及び変調方式を用いて、上りリンク共有信号を再送する。【００１９】
また、ユーザ装置は、あるサブフレームにおいて、ＨＡＲＱインディケータチャネルとＵＬスケジューリンググラントの両方を受信した場合には、ＵＬスケジューリンググラントに従う。すなわち、この場合、ＨＡＲＱインディケータチャネルにより指示される情報は無視される。【００２０】
ＬＴＥ方式の上りリンクにおけるＨＡＲＱ制御に関して、図２を用いて、より詳しく説明する。図２に、上りリンクにおけるＨＡＲＱの処理の一例を示す。【００２１】
図２に示すように、２０２（サブフレーム＃ｉ）（ｉは、ｉ＞０の整数）において、基地局装置は、物理下りリンク制御チャネルにおける上りリンクスケジューリンググラントを用いて、ユーザ装置に、サブフレーム＃ｉ＋４において、上りリンクの共有チャネルを用いた通信を行うことを指示する。【００２２】
２０４（サブフレーム＃ｉ＋４）において、ユーザ装置は、基地局装置に対して、上りリンク共有信号を送信し、基地局装置は、かかる上りリンク共有信号を受信して復号を試みる。【００２３】
２０６（サブフレーム＃ｉ＋８）において、基地局装置は、かかる復号結果に基づいて、ＨＡＲＱインディケータチャネル又はＵＬスケジューリンググラントを送信する。【００２４】
より具体的には、基地局装置は、上りリンク共有信号の復号結果がＯＫであった場合には、ＡＣＫを通知するＨＡＲＱインディケータチャネルを送信する。【００２５】
或いは、基地局装置は、当該ユーザ装置の送信バッファ内に新規に送信すべきデータが存在する場合には、上りリンク共有信号の送信を指示する上りリンクスジューリンググラントを、新規に送信してもよい。【００２６】
ところで、ＬＴＥ方式の上りリンクにおけるＨＡＲＱ制御においては、上記ＡＣＫは、「上りリンク共有信号が正しく受信されたこと」を意味するというよりも、「直後の再送タイミングで上りリンク共有信号の再送を留保すること」を意味すると解釈されてもよい。すなわち、ユーザ装置は、上記ＡＣＫを受信した場合、その上りリンク共有信号の再送を留保する。また、ユーザ装置は、上記ＡＣＫを受信した場合にも、前記上りリンク共有信号を送信バッファ内から削除しない。そして、ユーザ装置は、その後のＨＡＲＱの再送タイミングにおいて、前記上りリンク共有信号の再送を、ＵＬスケジューリンググラントにより指示された場合には、前記上りリンク共有信号の再送を行う。さらに、ユーザ装置は、前記上りリンク共有信号の再送回数が最大再送回数を超過した場合、あるいは、前記上りリンク共有信号のＨＡＲＱプロセスにおいて、新規の上りリンク共有信号の送信を指示された場合に、前記上りリンク共有信号を送信バッファ内から削除する。【００２７】
一方、基地局装置は、上りリンク共有信号の復号結果がＮＧであった場合には、ＮＡＣＫを通知するＨＡＲＱインディケータチャネルを送信するか、又は、上りリンク共有信号の再送を指示するＵＬスケジューリンググラントを送信する。【００２８】
２０６（サブフレーム＃ｉ＋８）において、ＨＡＲＱインディケータチャネルを介してＮＡＣＫが送信された場合、又は、上りリンク共有信号の再送を指示する上りリンクスケジューリンググラントが送信された場合、ユーザ装置は、サブフレーム＃ｉ＋１２において、上りリンク共有信号を再送する（２０８）。【００２９】
なお、２０６（サブフレーム＃ｉ＋８）において、ＨＡＲＱインディケータチャネルを介してＡＣＫが送信された場合、又は、新規の上りリンク共有信号の送信を指示する上りリンクスケジューリンググラントが送信された場合、２０４で送信された上りリンク共有信号は、サブフレーム＃ｉ＋１２において再送されない。
【先行技術文献】
【非特許文献】
【００３０】
【非特許文献１】3GPP  TR  25.814  (V7.0.0),  "Physical  Layer  Aspects  for  Evolved  UTRA,"  June  2006
【非特許文献２】3GPP  TS  36.211  (V8.1.0),  "Physical  Channels and Modulation,"  November  2007
【非特許文献３】3GPP  TS  36.300  (V8.2.0),  "E-UTRA and E-UTRAN Overall description,"  September  2007
【非特許文献４】3GPP  TS  36.321  (V8.1.0),  "E-UTRA Medium Access Control (MAC) protocol specification,"  March  2008
【発明の概要】
【発明が解決しようとする課題】
【００３１】
上述したように、ＬＴＥ方式の上りリンクの物理共有チャネル（ＰＵＳＣＨ）には、ＨＡＲＱ制御が適用され、下りリンクにおいて、その送達確認情報、すなわち、再送の要否を通知するＨＡＲＱインディケータが送信される。【００３２】
ところで、一般に、移動体通信においては、雑音やフェージングの影響により、その伝送される情報に誤りが生じる。上述したＨＡＲＱインディケータの場合、基地局装置がＡＣＫとして送信したＨＡＲＱインディケータが、ユーザ装置において、ＮＡＣＫとして受信される「ＡＣＫ  ｔｏ  ＮＡＣＫ誤り」や、基地局装置がＮＡＣＫとして送信したＨＡＲＱインディケータが、ユーザ装置において、ＡＣＫとして受信される「ＮＡＣＫ  ｔｏ  ＡＣＫ誤り」が存在する。【００３３】
「ＡＣＫ  ｔｏ  ＮＡＣＫ誤り」が発生した場合、ユーザ装置は、上りリンク共有信号を再送する。一方、ＡＣＫを送信した基地局装置は、前記上りリンク共有信号は送信されないとみなして、上りリンクの共有チャネルの割当て処理を行う。すなわち、基地局装置は、他のユーザ装置に対して、前記上りリンク共有信号に割り当てられていた無線リソースを割り当てる場合がある。この場合、前記上りリンク共有信号の再送と、他のユーザ装置が送信する上りリンク共有信号の送信が衝突することになり、前記上りリンク共有信号の再送と前記他のユーザ装置が送信する上りリンク共有信号の送信の両方の伝送特性が劣化する。【００３４】
一方、「ＮＡＣＫ  ｔｏ  ＡＣＫ誤り」が発生した場合、上述したように、ユーザ装置は、上りリンク共有信号の再送を留保する。この場合、基地局装置は、再送されるはずであった上りリンク共有信号の受信品質に基づき、ユーザ装置が実際に上りリンク共有信号を再送したか否かを判別できるため、その後のＨＡＲＱの再送タイミングにおいて前記上りリンクの共有信号の再送を指示することが可能である。この場合、１回のＨＡＲＱの送信が無駄になるが、「ＡＣＫ  ｔｏ  ＮＡＣＫ誤り」の場合のような、他のユーザ装置から送信される信号との衝突は発生しないため、その影響は小さい。【００３５】
以上を踏まえると、「ＡＣＫ  ｔｏ  ＮＡＣＫ誤り」と「ＮＡＣＫ  ｔｏ  ＡＣＫ誤り」とでは、要求される誤り率、すなわち、Ｑｕａｌｉｔｙ  Ｔａｒｇｅｔが異なると言える。【００３６】
しかしながら、一般に、ＨＡＲＱインディケータにおける、「ＡＣＫ」及び「ＮＡＣＫ」という２値の情報は、それぞれ「＋１」及び「−１」という信号で表現されるため、受信側においては、その受信信号の符号が「＋」であるか、「−」であるかの判定により、「ＡＣＫ」であるか「ＮＡＣＫ」であるかの判定を行っていた。この場合、前記受信信号の品質が同じであると仮定した場合には、「ＡＣＫ  ｔｏ  ＮＡＣＫ誤り」の確率と「ＮＡＣＫ  ｔｏ  ＡＣＫ誤り」の確率は同一となる。【００３７】
言い換えれば、上述したＨＡＲＱインディケータチャネルにおいては、通常の復号を行った場合に、上述したような、「ＡＣＫ  ｔｏ  ＮＡＣＫ誤り」と「ＮＡＣＫ  ｔｏ  ＡＣＫ誤り」とで異なるＱｕａｌｉｔｙ  Ｔａｒｇｅｔを満たすような復号を行うことができないという問題点があった。【００３８】
本発明の課題は、上述の課題に鑑みてなされたものであり、ＨＡＲＱインディケータチャネルに関して、「ＡＣＫ  ｔｏ  ＮＡＣＫ誤り」と「ＮＡＣＫ  ｔｏ  ＡＣＫ誤り」とで異なるＱｕａｌｉｔｙ  Ｔａｒｇｅｔを満たすことのできる復号を実現することを可能とするユーザ装置及び通信制御方法を提供することを目的とする。
【課題を解決するための手段】
【００３９】
本発明の第１の特徴は、上りリンクにおいて、基地局装置とＨＡＲＱを用いて通信を行うユーザ装置であって、
前記基地局装置に対して上りリンクの信号を送信する送信部と、
前記上りリンクの信号の再送の要否を通知する制御信号を受信する受信部と、
前記制御信号の信号の信頼度が低い場合に、前記制御信号をＡＣＫとみなし、前記制御信号の信号の信頼度が高い場合に、前記制御信号の示す情報に基づいて、ＡＣＫまたはＮＡＣＫのいずれかを識別する復号部と
を備えることを特徴とする。【００４０】
本発明の第２の特徴は、上りリンクにおいて、基地局装置とＨＡＲＱを用いて通信を行うユーザ装置における通信制御方法であって、
前記基地局装置に対して上りリンクの信号を送信する第１ステップと、
前記上りリンクの信号の再送の要否を通知する制御信号を受信する第２ステップと、
前記制御信号の信号の信頼度が低い場合に、前記制御信号をＡＣＫとみなし、前記制御信号の信号の信頼度が高い場合に、前記制御信号の示す情報に基づいて、ＡＣＫまたはＮＡＣＫのいずれかを識別する第３ステップと
を備えることを特徴とする。
【発明の効果】
【００４１】
本発明の実施例によれば、ＨＡＲＱインディケータチャネルに関して、「ＡＣＫ  ｔｏ  ＮＡＣＫ誤り」と「ＮＡＣＫ  ｔｏ  ＡＣＫ誤り」とで異なるＱｕａｌｉｔｙ  Ｔａｒｇｅｔを満たすことのできる復号を実現することができる。
【図面の簡単な説明】
【００４２】
【図１】ＬＴＥ方式の移動通信システムにおいて上りリンクの共有チャネル信号が再送される様子を示す図である。
【図２】ＬＴＥ方式の移動通信システムにおけるＨＡＲＱ再送制御について説明するための図である。
【図３】本発明の一実施形態による無線通信システムの構成を示すブロック図である。
【図４】サブフレーム構成を示す説明図である。
【図５】サブキャリアマッピングの一例を示す説明図である。
【図６】ＰＨＩＣＨ(ＡＣＫ/ＮＡＣＫ)のマッピング法を説明するための図である。
【図７】本発明の一実施例によるユーザ装置の部分ブロック図である。
【図８】本発明の一実施例による雑音電力の概念を示す図である。
【図９Ａ】本発明の一実施例によるＡＣＫ／ＮＡＣＫ識別方法の概念を示す図である。
【図９Ｂ】本発明の一実施例によるＡＣＫ／ＮＡＣＫ識別方法の概念を示す図である。
【図９Ｃ】本発明の一実施例によるＡＣＫ／ＮＡＣＫ識別方法の概念を示す図である。
【図１０】従来方法によるＡＣＫ／ＮＡＣＫ識別方法の概念を示す図である。
【図１１】本発明の一実施例による動作例を示すフローチャートである。
【発明を実施するための形態】
【００４３】
本発明の実施例によれば、ＨＡＲＱインディケータチャネル（ＰＨＩＣＨ）の復号において、ＨＡＲＱインディケータチャネル（ＰＨＩＣＨ）の受信信号の信頼度と前記受信信号の符号に基づいて、ＡＣＫであるか、ＮＡＣＫであるかが判定される。これにより、「ＡＣＫ  ｔｏ  ＮＡＣＫ誤り」と「ＮＡＣＫ  ｔｏ  ＡＣＫ誤り」とで異なるＱｕａｌｉｔｙ  Ｔａｒｇｅｔを満たすことのできる復号を実現することができる。
【００４４】
次に、本発明を実施するための最良の形態を、以下の実施例に基づき図面を参照しつつ説明する。なお、実施例を説明するための全図において、同一機能を有するものは同一符号を用い、繰り返しの説明は省略する。
【実施例１】
【００４５】
＜システム＞
図３は、本発明の実施例に係る基地局装置を使用する無線通信システムを示す。無線通信システム１０００は、例えばＥｖｏｌｖｅｄ  ＵＴＲＡ  ａｎｄ  ＵＴＲＡＮ(別名:ＬＴＥ(Ｌｏｎｇ  Ｔｅｒｍ  Ｅｖｏｌｕｔｉｏｎ)、或いは、Ｓｕｐｅｒ  ３Ｇ)が適用されるシステムである。本システムは、基地局装置(ｅＮＢ:  ｅＮｏｄｅ  Ｂ)２００と複数のユーザ装置(ＵＥ:  Ｕｓｅｒ  Ｅｑｕｉｐｍｅｎｔ)１００ｎ(１００１、１００２、１００３、・・・１００ｎ、ｎはｎ>0の整数)とを備える。基地局装置２００は、上位局、例えばアクセスゲートウェイ装置３００と接続され、アクセスゲートウェイ装置３００は、コアネットワーク４００と接続される。ここで、ユーザ装置１００ｎはセル５０において基地局装置２００とＥｖｏｌｖｅｄ  ＵＴＲＡ  ａｎｄ  ＵＴＲＡＮにより通信を行う。アクセスゲートウェイ装置は、ＭＭＥ／ＳＧＷ(Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ)と呼ばれてもよい。【００４６】
各ユーザ装置(１００１、１００２、１００３、・・・１００ｎ)は、同一の構成、機能、状態を有するので、以下では特段の断りがない限りユーザ装置１００ｎとして説明を進める。説明の便宜上、基地局装置と無線通信するのはユーザ装置であるが、より一般的には移動端末も固定端末も含む。【００４７】
無線通信システム１０００では、無線アクセス方式として、下りリンクについてはＯＦＤＭ（直交周波数分割多元接続）が、上りリンクについてはＳＣ−ＦＤＭＡ(シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００４８】
＜通信チャネル＞
次に、本システムで使用される各種の通信チャネルについて説明する。下りリンクについては、各ユーザ装置１００ｎで共有される物理下りリンク共有チャネル（ＰＤＳＣＨ）と、物理下りリンク制御チャネル(ＰＤＣＣＨ)とが用いられる。物理下りリンク制御チャネルは下りＬ１／Ｌ２制御チャネルとも呼ばれる。また、上記物理下りリンク制御チャネルにマッピングされる情報は、下りリンク制御情報(ＤＣＩ)と呼ばれてもよい。【００４９】
上記物理下りリンク共有チャネルにより、ユーザデータ、すなわち、通常のデータ信号が伝送される。尚、物理下りリンク共有チャネルにマッピングされるトランスポートチャネルは、ＤＬ−ＳＣＨ(Ｄｏｗｎｌｉｎｋ  Ｓｈａｒｅｄ  Ｃｈａｎｎｅｌ)である。また、物理下りリンク制御チャネルにより、ダウンリンク／アップリンクスケジューリンググラント、送信電力制御コマンドビット等が伝送される。【００５０】
ダウンリンクスケジューリンググラント(ＤＬ  Ｓｃｈｅｄｕｌｉｎｇ  Ｇｒａｎｔ)には、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。【００５１】
アップリンクスケジューリンググラント(ＵＬ  Ｓｃｈｅｄｕｌｉｎｇ  Ｇｒａｎｔ)にも、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。本実施例におけるＵＬ  Ｓｃｈｅｄｕｌｉｎｇ  Ｇｒａｎｔは、上り共有チャネルの送信を許可するだけでなく、許可する送信が、再送であるか否かも区別する。どのようにして区別するかは様々な方法が考えられる。例えば、ＵＬ  Ｓｃｈｅｄｕｌｉｎｇ  Ｇｒａｎｔの中に再送か否かを示す識別情報又はインディケータが用意されてもよい。    
上記物理下りリンク制御チャネル(ＰＤＣＣＨ)がマッピングされるＯＦＤＭシンボルは、物理制御チャネルフォーマットインディケータチャネル（ＰＣＦＩＣＨ）や、物理ＨＡＲＱインディケータチャネル（ＰＨＩＣＨ）を含む。すなわち、ＰＤＣＣＨ、ＰＣＦＩＣＨ及びＰＨＩＣＨは、所定数個以下のＯＦＤＭシンボルに多重されて送信される。【００５２】
物理制御チャネルフォーマットインディケータチャネル(ＰＣＦＩＣＨ)は、物理下りリンク制御チャネルがマッピングされるＯＦＤＭシンボル数をユーザ装置に通知するチャネルである。【００５３】
物理ＨＡＲＱインディケータチャネル(ＰＨＩＣＨ)は、物理上りリンク共有チャネルに対する送達確認情報を伝送するチャネルである。上記送達確認情報は、肯定応答であるＡＣＫ又は否定応答であるＮＡＣＫにより表現される。【００５４】
尚、ＰＨＩＣＨにマッピングされるＡＣＫは、肯定応答という一般的な意味に加えて又はその代わりに、ＵＬ  Ｓｃｈｅｄｕｌｉｎｇ  Ｇｒａｎｔを受けていなければ所定の直後の再送タイミングで再送を行わない、すなわち、再送を留保する、という意味に解釈されてもよい(あるパケットの送信タイミングとそのパケットの再送タイミングとの間の時間的な関係は、同期型ＨＡＲＱでは予め固定的に決まっている。)。この定義の場合、ユーザ装置は、ＰＨＩＣＨによりＡＣＫを受信すると、ＵＬ  Ｓｃｈｅｄｕｌｉｎｇ  Ｇｒａｎｔを受けていなかった場合、直後の再送タイミングでは物理上りリンク共有チャネル(ＰＵＳＣＨ)の再送を行わないが、その後の再送可能なタイミングにおいて、ＵＬ  Ｓｃｈｅｄｕｌｉｎｇ  Ｇｒａｎｔを受信し且つＰＵＳＣＨの再送を指示された場合には、指示されたＰＵＳＣＨの再送を行う。この場合、ＡＣＫは、「物理上りリンク共有チャネルが正しく受信されたこと」までをも意味するのではなく、
「直後の再送タイミングでＰＵＳＣＨの再送を留保するかもしれないこと」
を意味するに留まる。そして、その後の再送可能なタイミングにおいて、再送を指示するＵＬ  Ｓｃｈｅｄｕｌｉｎｇ  Ｇｒａｎｔを受けたことを条件に、再送が行われる。従って、ユーザ装置がこの定義によるＡＣＫを受けたとしても、送信済みのＰＵＳＣＨを破棄してはならず、再送バッファに保持しておく必要がある。この場合、ユーザ装置は、基地局装置よりＡＣＫを受けたＨＡＲＱプロセスを用いて新規送信を行うことを指示された場合、あるいは、前記ＰＵＳＣＨの再送回数が最大再送回数を超過した場合に、前記送信済みのＰＵＳＣＨを破棄することになる。【００５５】
尚、上述した例においては、ＰＨＩＣＨやＰＣＦＩＣＨは、物理下りリンク制御チャネルと並列的な関係にあるチャネルとして定義されている。しかしながら、ＰＨＩＣＨやＰＣＦＩＣＨが、ＰＤＣＣＨに含まれる情報要素として定義されてもよい。【００５６】
また、下りリンクにおいては、ＵＥ間で共通に使用されるパイロット信号として、下りリンクリファレンス信号Ｄｏｗｎｌｉｎｋ  Ｒｅｆｅｒｅｎｃｅ  Ｓｉｇｎａｌ  （ＤＬ  ＲＳ）が送信される。前記下りリンクリファレンス信号は、上述したＰＤＳＣＨやＰＤＣＣＨ、ＰＣＦＩＣＨ、ＰＨＩＣＨの復号のためのチャネル推定や、下りリンクの無線品質情報であるＣＱＩの算出に用いられる。【００５７】
上りリンクについては、各ユーザ装置１００ｎで共有して使用される物理上りリンク共有チャネル（ＰＵＳＣＨ）と、ＬＴＥ用の上りリンク制御チャネルとが用いられる。ＬＴＥ用の上りリンク制御チャネルには、物理上りリンク共有チャネルの一部として送信されるチャネルと、周波数多重されるチャネルの２種類がある。周波数多重されるチャネルは、物理上りリンク制御チャネル(ＰＵＣＣＨ:  Ｐｈｙｓｉｃａｌ  Ｕｐｌｉｎｋ  Ｃｏｎｔｒｏｌ  Ｃｈａｎｎｅｌ)と呼ばれる。上記物理上りリンク共有チャネルにより、ユーザデータ、すなわち、通常のデータ信号が伝送される。物理上りリンク共有チャネルにマッピングされるトランスポートチャネルは、ＵＬ−ＳＣＨ(Ｕｐｌｉｎｋ  Ｓｈａｒｅｄ  Ｃｈａｎｎｅｌ)である。また、ＬＴＥ用の上りリンク制御チャネルにより、物理下りリンク共有チャネルのスケジューリング処理や適応変調及び符号化処理(ＡＭＣＳ:  Ａｄａｐｔｉｖｅ  Ｍｏｄｕｌａｔｉｏｎ  ａｎｄ  Ｃｏｄｉｎｇ  Ｓｃｈｅｍｅ)に用いるための下りリンクの品質情報(ＣＱＩ:  Ｃｈａｎｎｅｌ  Ｑｕａｌｉｔｙ  Ｉｎｄｉｃａｔｏｒ)、及び、物理下りリンク共有チャネルの送達確認情報が伝送される。送達確認情報の内容は、肯定応答(ＡＣＫ)又は否定応答(ＮＡＣＫ)の何れかで表現される。【００５８】
ＬＴＥ用の上りリンク制御チャネルでは、ＣＱＩや送達確認情報に加えて、上りリンクの共有チャネルのリソース割り当てを要求するスケジューリング要求等が送信されてもよい。ここで、上りリンクの共有チャネルのリソース割り当てとは、あるサブフレームの物理下りリンク制御チャネル、すなわち、ＵＬ  Ｓｃｈｅｄｕｌｉｎｇ  Ｇｒａｎｔを用いて、後続のサブフレームにおいて上りリンクの共有チャネルを用いて通信を行ってよいことを基地局装置がユーザ装置に通知することを意味する。【００５９】
＜サブフレーム構成＞
図４はサブフレーム構成の一例を示す。下りリンク伝送では、１サブフレームは、例えば１ｍｓであり、１サブフレームの中に１４個のＯＦＤＭシンボルが存在する。尚、１サブフレームは、１ＴＴＩ（Ｔｉｍｅ  Ｔｒａｎｓｍｉｓｓｉｏｎ  Ｉｎｔｅｒｖａｌ）と呼ばれてもよい。図２において、時間軸方向の番号（＃１、＃２、＃３、・・・、＃１４）はＯＦＤＭシンボルを識別する番号を示し、周波数軸方向の番号（＃１、＃２、＃３、・・・、＃Ｌ−１、＃Ｌ、Ｌは正の整数）はリソースブロックを識別する番号を示す。【００６０】
サブフレームの先頭のＭ個のＯＦＤＭシンボルには、上記物理下りリンク制御チャネルＰＤＣＣＨ等がマッピングされる。Ｍの値としては、１、２、３の３通りが設定される。図４においては、１サブフレームの先頭から２つのＯＦＤＭシンボル、すなわち、ＯＦＤＭシンボル＃１及び＃２に上記物理下りリンク制御チャネルがマッピングされている(即ち、Ｍ＝２である。)。そして、上記物理下りリンク制御チャネルＰＤＣＣＨがマッピングされるＯＦＤＭシンボル以外のＯＦＤＭシンボルにおいて、ユーザデータや、同期チャネル (ＳＣＨ、Ｓｙｎｃｈｒｏｎｉｚａｔｉｏｎ  Ｃｈａｎｎｅｌ。Ｓｙｎｃｈｒｏｎｉｚａｔｉｏｎ  Ｓｉｇｎａｌと呼ばれてもよい。)、報知チャネル(ＢＣＨ。Ｐｈｙｓｉｃａｌ  Ｂｒｏａｄｃａｓｔ  Ｃｈａｎｎｅｌと呼ばれてもよい)、及び／又はパーシステントスケジューリング(Ｐｅｒｓｉｓｔｅｎｔ  Ｓｃｈｅｄｕｌｉｎｇ)の適用されるデータチャネル等がマッピングされる。尚、上述したユーザデータとは、例えば、ウェブブラウジング、ファイル転送（ＦＴＰ）、音声パケット（ＶｏＩＰ）等によるＩＰパケットや、無線リソース制御（ＲＲＣ：Ｒａｄｉｏ  Ｒｅｓｏｕｒｃｅ  Ｃｏｎｔｒｏｌ）の処理のための制御信号などである。前記ユーザデータは、物理チャネルとしてはＰＤＳＣＨに、トランスポートチャネルとしてはＤＬ−ＳＣＨにマッピングされる。【００６１】
また、周波数方向においては、システム帯域の中にＬ個のリソースブロックが用意される。ここで、１リソースブロック当たりの周波数帯域は、例えば１８０ｋＨｚであり、１リソースブロックの中に例えば１２個のサブキャリアが存在する。また、リソースブロックの総数Ｌは、システム帯域幅が５ＭＨｚの場合には２５個、システム帯域幅が１０ＭＨｚの場合には５０個、システム帯域幅が２０ＭＨｚの場合には１００個等の数をとってもよい。【００６２】
＜リソース割当＞
以下に、１サブフレームの先頭のＭ個のＯＦＤＭシンボルの中で、リソースがどのように割り当てられるかの一例を説明する。説明の便宜上、１つのサブキャリア及び１つのOFDMシンボルで特定される物理リソースを、１リソースエレメント(ＲＥ：  Ｒｅｓｏｕｒｃｅ  Ｅｌｅｍｅｎｔ)と呼ぶことにする。【００６３】
図５は、サブフレームの先頭から３つ目までのＯＦＤＭシンボルに物理下りリンク制御チャネルＰＤＣＣＨ等がマッピングされる様子を示す(Ｍ＝３)。これらＭ個のＯＦＤＭシンボルにおけるリソースの内、下りリンクのリファレンス信号用のリソースを除いたリソースに、ＰＤＣＣＨ，ＰＣＦＩＣＨ，ＰＨＩＣＨ等がマッピングされる。ＰＤＣＣＨ等のマッピング可能なリソースは、周波数方向にリファレンス信号を除いて連続する４個のリソースエレメント毎に区分けされる。区分けされたリソースエレメント４つ分のリソースは、４つ組リソースエレメント(Ｒｅｓｏｕｒｃｅ  Ｅｌｅｍｅｎｔ  Ｑｕａｄｒｕｐｌｅｔ)と言及される。あるいは、前記区分けされたリソースエレメント４つ分のリソースは、リソースエレメントグループと言及されてもよい。ＰＤＣＣＨ，ＰＤＣＩＣＨ，ＰＨＩＣＨ等に割り当てられるリソースは、この４つ組リソースエレメント１つを最小単位にして割り当てられる。ここで、４つ組リソースエレメントの番号付けは、まず時間方向に行われ、その後、周波数方向に行われる。例えば、システム帯域幅が５ＭＨｚの場合、リソースブロックは２５個存在し、１リソースブロック当たり１２サブキャリア存在したとすると、ＯＦＤＭシンボル１つ当たり３００サブキャリア存在する。図示の例では、１リソースブロック当たり８個の４つ組リソースエレメントが存在する(Ｍ＝３)。この場合、２５個のリソースブロック全体の中に、２５×８＝２００個の４つ組リソースエレメントが存在することになる。【００６４】
尚、４つ組リソースエレメントを定義する際、１アンテナ送信の場合でも、第２のアンテナから下りリンクのリファレンス信号が送信されると仮定して、４つ組リソースエレメントが定義される。図示の例では、第１アンテナから送信されるリファレンス信号Ｒ１と、第２アンテナから送信されるリファレンス信号Ｒ２とが示されている。この場合に、第２アンテナからの送信が実際に行われるか否かによらず、それが行われるもの仮定して、４つ組リソースエレメントが定義される。【００６５】
本発明は、ＰＨＩＣＨの受信方法、すなわち、より具体的には、復号方法に関わるため、以下では、さらに物理ＡＲＱインディケータチャネルのマッピング方法に関して、説明を行う。【００６６】
図６は、ＰＨＩＣＨをマッピングする様子を示す。ＰＨＩＣＨは、「４つ組リソースエレメント」３個で構成される「物理ＨＡＲＱインディケータチャネルグループ」に多重される。より具体的には、ＰＨＩＣＨは、４つ組リソースエレメント３つ分の１２個のリソースエレメントに、拡散率４で符合多重(ＣＤＭＡ)され、かつ、Ｉ／Ｑ多重されて、マッピングされる。すなわち、１つの物理ＨＡＲＱインディケータチャネルグループに、８個のＰＨＩＣＨが多重される。Ｉ成分側に４つのＰＨＩＣＨが符号多重されており、Ｑ成分側にも４つのＰＨＩＣＨが符号多重されている。これら８つのＰＨＩＣＨが、１２個のリソースエレメントにマッピングされる(上述したように、リソースエレメントは、１つのＯＦＤＭシンボル及び１つのサブキャリアで特定されるリソースである。)。尚、上述した３個の４つ組リソースエレメント同士は、隣接していてもよいし、システム帯域内で分散していてもよい。上述した、物理ＨＡＲＱインディケータチャネルグループが、１つのサブフレームの中で、１つしか用意されなくてもよいし、２つ以上が用意されてもよい。【００６７】
また、ＰＨＩＣＨ各々には番号が付与されており、その番号は、物理上りリンク共有チャネルがマッピングされているリソースブロック(ＲＢ)の最も若番の番号に対応している。例えば、システム帯域に含まれているリソースブロックに低周波側から順に番号が付与されていたとする(システム帯域幅が５ＭＨｚの場合、１番から２５番までのリソースブロック番号がある。)。基地局装置２００が、リソースブロック番号の４番から８番にマッピングされている物理上りリンク共有チャネルを受信した場合、４番のＰＨＩＣＨを用いて、物理上りリンク共有チャネルに対応するＰＨＩＣＨを送信する。このようにＰＵＳＣＨに使用されたリソースブロック番号と、ＰＨＩＣＨのマッピング位置との対応関係を事前に決めておくことで、ＰＨＩＣＨのマッピング位置に関する明示的なシグナリングを毎回ユーザ装置に通知しなくて済むようになる。【００６８】
尚、上述した、ＰＤＣＣＨ、ＰＣＦＩＣＨ、ＰＨＩＣＨに関するリソース割り当ては、あくまで一例であり、その他の方法でリソース割り当てが行われてもよい。例えば、コード多重によりリソース割り当てが行われてもよいし、周波数多重によりリソース割り当てが行われてもよいし、時間多重によりリソース割り当てが行われてもよい。あるいは、前記コード多重、周波数多重、時間多重の内の少なくとも２つをハイブリッドした多重方法により、多重が行われてもよい。【００６９】
尚、図５、６においては、物理下りリンク制御チャネルがマッピングされるＯＦＤＭシンボルの数が３の場合に関して説明を行ったが、物理下りリンク制御チャネルがマッピングされるＯＦＤＭシンボルの数が１または２である場合にも、上述した、ＰＨＩＣＨに関するリソース割当方法、マッピング方法は同様である。【００７０】
＜ユーザ装置−ＵＥ＞
図７を参照しながら、本発明の実施例に係るユーザ装置１００ｎを説明する。図７には、受信部（Ｒｘ）７０２、ＣＰ除去部７０４、高速フーリエ変換部（ＦＦＴ）７０６、分離部（ＤＥＭＵＸ）７０８、リファレンス信号受信部７１０、ＰＤＳＣＨ復号部７１２、ＰＣＦＩＣＨ／ＰＤＣＣＨ復号部７１４、ＰＨＩＣＨ復号部７１６、ＭＡＣ処理部７１８、信号生成部７２０、送信部（Ｔｘ）７２２が示されている。【００７１】
受信部(Ｒｘ)７０２は、下りリンクの信号を受信し、電力増幅、周波数変換、帯域制限、アナログディジタル変換等の処理を行い、ベースバンドの受信信号を導出する。【００７２】
ＣＰ除去部７０４は、受信信号の内、ガードインターバルに相当する信号部分を除去する。ガードインターバルは、サイクリックプレフィックス(ＣＰ:  Ｃｙｃｌｉｃ  Ｐｒｅｆｉｘ)とも言及される。【００７３】
高速フーリエ変換部(ＦＦＴ)７０６は、そこに入力された信号を高速フーリエ変換し、時間領域の信号を周波数領域の信号に変換する。【００７４】
分離部(ＤＥＭＵＸ)７０８は、様々なサブキャリアにマッピングされている様々な信号を抽出する。受信信号には説明済みの様々な通信チャネルが含まれているが、本実施例ではＰＣＦＩＣＨ、ＰＤＣＣＨ、ＰＨＩＣＨ、ＰＤＳＣＨ、下りリンクリファレンス信号（ＤＬ  ＲＳ）等が特に重要になる。図示の簡明化のため、受信される可能性のある他の多くのチャネルは図７では省略されている。分離部（ＤＥＭＵＸ）７０８は、抽出した下りリンクリファレンス信号（ＤＬ  ＲＳ）をリファレンス信号受信部７１０に入力し、抽出したＰＤＳＣＨをＰＤＳＣＨ復号部７１２に入力し、抽出したＰＤＣＣＨ及びＰＣＦＩＣＨをＰＣＦＩＣＨ／ＰＤＣＣＨ復号部７１４に入力し、抽出したＰＨＩＣＨをＰＨＩＣＨ復号部７１６に入力する。【００７５】
リファンレス信号復号部７１０は、入力された下りリンクリファレンス信号（ＤＬ  ＲＳ）に基づいてチャネル推定を行い、受信したデータ信号、すなわち、ＰＣＦＩＣＨ／ＰＤＣＣＨ／ＰＨＩＣＨ／ＰＤＳＣＨにどのようなチャネル補償がなされるべきかを決定する、すなわち、チャネル推定値を算出する。リファンレス信号受信部７１０は、算出したチャネル推定値をＰＤＳＣＨ復号部７１２及びＰＣＦＩＣＨ／ＰＤＳＣＨ復号部７１４及びＰＨＩＣＨ復号部７１６に入力する。【００７６】
ＰＤＳＣＨ復号部７１２は、リファンレス信号受信部７１０よりチャネル推定結果を受け取り、また、ＰＣＦＩＣＨ／ＰＤＣＣＨ復号部７１４より、当該サブフレームにおけるＰＤＣＣＨがマッピングされているＯＦＤＭシンボルの数と、当該サブフレームにおいて受信すべきＰＤＳＣＨに関する送信フォーマットに関する情報を受け取る。尚、前記受信すべきＰＤＳＣＨに関する送信フォーマットに関する情報とは、ＤＬ  Ｓｃｈｅｄｕｌｉｎｇ  Ｇｒａｎｔにより伝送される情報のことである。そして、ＰＤＳＣＨ復号部７１２は、前記チャネル推定結果と、前記当該サブフレームにおけるＰＤＣＣＨがマッピングされているＯＦＤＭシンボルの数と、前記当該サブフレームにおいて受信すべきＰＤＳＣＨに関する送信フォーマットに関する情報とに基づいて、基地局装置２００から送信されたＰＤＳＣＨの信号を復元する。ＰＤＳＣＨ復号部７１２は、復号後のＰＤＳＣＨの信号をＭＡＣ処理部１０８８に入力する。【００７７】
ＰＣＦＩＣＨ／ＰＤＣＣＨ復号部７１４は、リファンレス信号受信部７１０よりチャネル推定結果を受け取る。そして、ＰＣＦＩＣＨ／ＰＤＣＣＨ復号部７１４は、前記チャネル推定結果に基づいて、基地局装置２００から送信されたＰＣＦＩＣＨを復元し、当該サブフレームにおけるＰＤＣＣＨがマッピングされているＯＦＤＭシンボルの数に関する情報を取得する。前記当該サブフレームにおけるＰＤＣＣＨがマッピングされているＯＦＤＭシンボルの数に関する情報は、ＰＤＳＣＨ復号部７１２と、ＰＨＩＣＨ復号部７１６に送られる。また、ＰＣＦＩＣＨ／ＰＤＣＣＨ復号部７１４は、前記チャネル推定結果と、前記当該サブフレームにおけるＰＤＣＣＨがマッピングされているＯＦＤＭシンボルの数に関する情報とに基づいて、基地局装置２００から送信されたＰＤＣＣＨを復元する。ＰＣＦＩＣＨ／ＰＤＣＣＨ復号部７１４は、復号後のＰＤＣＣＨの信号をＭＡＣ処理部７１８に入力する。また、ＰＣＦＩＣＨ／ＰＤＣＣＨ復号部７１４は、復号後のＰＤＣＣＨの信号の内、ＤＬ  Ｓｃｈｅｄｕｌｉｎｇ  ＧｒａｎｔがマッピングされているＰＤＣＣＨに関しては、ＰＤＳＣＨ復号部７１２にも入力する。【００７８】
ＰＨＩＣＨ復号部７１６は、リファンレス信号受信部７１０よりチャネル推定結果を受け取り、また、ＰＣＦＩＣＨ／ＰＤＣＣＨ復号部７１４より、当該サブフレームにおけるＰＤＣＣＨがマッピングされているＯＦＤＭシンボルの数を受け取る。そして、ＰＨＩＣＨ復号部７１６は、前記チャネル推定結果と、前記当該サブフレームにおけるＰＤＣＣＨがマッピングされているＯＦＤＭシンボルの数とに基づいて、基地局装置２００から送信されたＰＨＩＣＨの信号を復元し、ＰＨＩＣＨにマッピングされているＨＡＲＱインディケータの情報を取得する。すなわち、ＰＨＩＣＨ復号部７１６は、ＰＨＩＣＨにマッピングされているＨＡＲＱインディケータの情報がＡＣＫであるか、ＮＡＣＫであるかを識別する。【００７９】
以下に、前記ＰＨＩＣＨにマッピングされているＨＡＲＱインディケータの情報がＡＣＫであるか、ＮＡＣＫであるかの識別方法に関して、さらに詳細に説明する。【００８０】
ＰＨＩＣＨ復号部７１６は、前記当該サブフレームにおけるＰＤＣＣＨがマッピングされているＯＦＤＭシンボルの数に基づいて、自局宛のＰＨＩＣＨがどのＲｅｓｏｕｒｃｅ  ｅｌｅｍｅｎｔにマッピングされているかの情報を取得し、当該サブフレームにおける自局宛のＰＨＩＣＨの信号を抽出する。そして、ＰＨＩＣＨ復号部７１６は、前記チャネル推定結果に基づいて、抽出した前記ＰＨＩＣＨの信号を補償し、かつ、Ｉ／Ｑ  Ｄｅｍａｐｐｉｎｇ及び逆拡散を行うことにより、ＰＨＩＣＨの信号の復元を行う。尚、上述した、当該サブフレームにおける自局宛のＰＨＩＣＨの信号の抽出は、ＤＥＭＵＸ７０８で行われてもよい。【００８１】
そして、ＰＨＩＣＨ復号部７１６は、前記復元されたＰＨＩＣＨの信号に基づき、ＰＨＩＣＨの信号の信頼度を算出する。ここで、ＰＨＩＣＨ復号部７１６は、例えば、雑音電力Ｉと前記ＰＨＩＣＨの信号の信号電力Ｓから算出されるＳＩＲ：
ＳＩＲ＝Ｓ／Ｉ
を、ＰＨＩＣＨの信号の信頼度として算出してもよい。ここで、ＳＩＲはＳｉｇｎａｌ−ｔｏ−Ｉｎｔｅｒｆｅｒｅｎｃｅ  Ｒａｔｉｏとも呼ばれ、信号の受信品質を示す指標である。【００８２】
前記雑音電力Ｉは、例えば、前記下りリンクリファレンス信号（ＤＬ  ＲＳ）の受信信号の分散から算出されてもよい。例えば、前記雑音電力は、図８に示すように、基準信号ベクトル【００８３】
【数１】
2009128404.tif 000003
と下りリンクリファレンス信号の受信信号ベクトル【００８４】
【数２】
2009128404.tif 000004
（ｉ＝１、２、…、Ｎ）とのベクトル差の自乗の平均であってもよい。すなわち、Ｉは以下のように計算されてもよい：【００８５】
【数３】
2009128404.tif 000005
ここで、基準信号ベクトルは、例えば、前記下りリンクリファレンス信号の受信信号ベクトル【００８６】
【数４】
2009128404.tif 000006
（ｉ＝１、２、…、Ｎ）の平均であってもよいし、別に定義された基準のベクトルであってもよい。【００８７】
また、前記下りリンクリファレンス信号の受信信号ベクトルは、チャネル推定により補償された受信信号ベクトルであってもよいし、チャネル推定により補償される前の受信信号ベクトルであってもよい。【００８８】
また、前記雑音電力Ｉの算出に用いられる下りリンクリファレンス信号として、システム帯域全体の下りリンクリファレンス信号が用いられてもよいし、ＰＨＩＣＨがマッピングされている周波数帯域の下りリンクリファレンス信号が用いられてもよい。あるいは、前記雑音電力Ｉの算出に用いられる下りリンクリファレンス信号として、別に定義された周波数帯域の下りリンクリファレンス信号が用いられてもよい。【００８９】
また、前記雑音電力Ｉは、当該サブフレームの瞬時値が用いられてもよいし、時間方向に平均化された値が用いられてもよい。【００９０】
あるいは、前記雑音電力Ｉの算出において、下りリンクリファレンス信号が用いられているが、代わりに、ＰＨＩＣＨの信号が用いられてもよい。すなわち、前記雑音電力Ｉは、ＰＨＩＣＨの受信信号の分散から算出されてもよい。【００９１】
尚、前記雑音電力Ｉは、上述した方法に限定される必要はなく、雑音電力を正確に推定できる方法であれば、その他の方法により算出されてもよい。【００９２】
また、前記ＰＨＩＣＨの信号の信号電力Ｓは、ＰＨＩＣＨの信号の受信信号ベクトルの自乗により算出されてもよい。ここで、前記ＰＨＩＣＨの信号は、ＣＤＭＡにより拡散された状態の信号であってもよいし、ＣＤＭＡにより拡散された状態の信号を逆拡散することにより、拡散される前の状態に戻された後の信号であってもよい。あるいは、前記ＰＨＩＣＨの信号は、チャネル推定値に基づいて補償される前の信号であってもよいし、チャネル推定値に基づいて補償された後の信号であってもよい。【００９３】
また、上述した例においては、ＰＨＩＣＨの信号の信頼度として、ＳＩＲが算出されたが、ＰＨＩＣＨの信号の信頼度を推定することができるのであれば、ＳＩＲ以外の指標が用いられてもよい。例えば、ＰＨＩＣＨの信号の信頼度として、ＰＨＩＣＨの信号の信号電力Ｓのみが用いられてもよい。あるいは、ＰＨＩＣＨの信号の信頼度として、正規化されたＰＨＩＣＨの信号の信号電力Ｓが用いられてもよい。ここで、正規化されたＰＨＩＣＨの信号の信号電力Ｓとは、例えば、ＤＬ  ＲＳの受信電力により正規化されたＰＨＩＣＨの信号の信号電力Ｓであってもよい。【００９４】
そして、ＰＨＩＣＨ復号部７１６は、前記ＳＩＲと、閾値Ｔｈｒｅｓｈｏｌｄと、復元されたＰＨＩＣＨの信号の符号とに基づき、ＰＨＩＣＨにマッピングされているＨＡＲＱインディケータの情報がＡＣＫであるか、ＮＡＣＫであるかを識別する。【００９５】
例えば、以下に、ＨＡＲＱインディケータの情報として、ＡＣＫが＋１で定義され、ＮＡＣＫが−１で定義されている場合の、前記ＰＨＩＣＨにマッピングされているＨＡＲＱインディケータの情報がＡＣＫであるか、ＮＡＣＫであるかの識別方法の一例を示す。【００９６】
すなわち、ＰＨＩＣＨ復号部７１６は、まず、前記ＳＩＲが閾値Ｔｈｒｅｓｈｏｌｄよりも小さいか否かを判定する。【００９７】
前記ＳＩＲが閾値Ｔｈｒｅｓｈｏｌｄよりも小さい場合、前記ＰＨＩＣＨにマッピングされているＨＡＲＱインディケータの情報をＡＣＫであるとみなす。【００９８】
より具体的には、前記閾値Ｔｈｒｅｓｈｏｌｄを３ｄＢと設定した場合に、前記ＳＩＲが２ｄＢの場合には、前記前記ＰＨＩＣＨにマッピングされているＨＡＲＱインディケータの情報をＡＣＫであるとみなす。【００９９】
また、ＰＨＩＣＨ復号部７１６は、前記ＳＩＲが閾値Ｔｈｒｅｓｈｏｌｄよりも小さくない場合、前記復元されたＰＨＩＣＨの信号の符号が＋であるか、−であるかを判定する。そして、ＰＨＩＣＨ復号部７１６は、前記復元されたＰＨＩＣＨの信号の符号が＋である場合に、前記ＰＨＩＣＨにマッピングされているＨＡＲＱインディケータの情報をＡＣＫであるとみなし、前記復元されたＰＨＩＣＨの信号の符号が−である場合に、前記ＰＨＩＣＨにマッピングされているＨＡＲＱインディケータの情報をＮＡＣＫであるとみなす。【０１００】
より具体的には、前記閾値Ｔｈｒｅｓｈｏｌｄを３ｄＢと設定した場合に、前記ＳＩＲが５ｄＢであり、かつ、前記復元されたＰＨＩＣＨの信号の符号が＋の場合には、前記前記ＰＨＩＣＨにマッピングされているＨＡＲＱインディケータの情報をＡＣＫであるとみなす。あるいは、前記閾値Ｔｈｒｅｓｈｏｌｄを３ｄＢと設定した場合に、前記ＳＩＲが５ｄＢであり、かつ、前記復元されたＰＨＩＣＨの信号の符号が−の場合には、前記前記ＰＨＩＣＨにマッピングされているＨＡＲＱインディケータの情報をＮＡＣＫであるとみなす。【０１０１】
すなわち、ＰＨＩＣＨ復号部７１６は、前記ＰＨＩＣＨの信号の信頼度、すなわち、ＳＩＲが小さい場合には、ＡＣＫとみなし、前記前記ＰＨＩＣＨの信号の信頼度、すなわち、ＳＩＲが大きい場合には、前記復元されたＰＨＩＣＨの信号の符号に基づいて、ＡＣＫあるいはＮＡＣＫの識別を行う。【０１０２】
ここで、図９Ａに、上述した、ＰＨＩＣＨにマッピングされているＨＡＲＱインディケータの情報がＡＣＫであるか、ＮＡＣＫであるかの識別方法の概念図を示す。同図により、本発明に係るＰＨＩＣＨの復号方法の効果を示す。同図における軸の絶対値は、信号の信頼度（ＳＩＲ）を示し、かつ、その符号（＋または−）は、ＰＨＩＣＨの信号の符号を示すと定義する。尚、前記軸は、該ＰＨＩＣＨの信号がＩ成分にマッピングされている場合は受信信号のＩ軸と同一とみなされてもよいし、該ＰＨＩＣＨの信号がＱ成分にマッピングされている場合は受信信号Ｑ軸と同一とみなされてもよい。【０１０３】
尚、図９Ａは、あくまで一例であり、実際には、図９Ｂ、Ｃに示すように、ＩＱ平面において、Ｔｈｒｅｓｈｏｌｄが設定されてもよい。この場合、図９Ｂのように閾値が直線で定義されてもよいし、図９Ｃのように曲線で定義されてもよい。すなわち、ＰＨＩＣＨの信号の信頼度（ＳＩＲ）は、ＩＱ平面上の位置に基づいて決定されてもよい。より具体的には、確からしい信号点からの距離、すなわち、確からしい信号点から近いか遠いかに基づいて、ＰＨＩＣＨの信号の信頼度が決定されてもよい。この場合、確からしい信号点に近い場合に、ＰＨＩＣＨの信号の信頼度が高いと判定され、確からしい信号点に遠い場合に、ＰＨＩＣＨの信号の信頼度が低いと判定されてもよい。【０１０４】
一般に、信号の誤り率は、信号の平均のＳＩＲに依存する。例えば、図１０に示すように、Ｔｈｒｅｓｈｏｌｄ＝０として、受信信号の符号が＋であるか−であるかの通常の復号を行った場合、平均のＳＩＲが十分に大きい場合は、信号の誤りは発生せず、平均のＳＩＲが小さい場合は、ある確率で信号の誤りが発生する。すなわち、平均のＳＩＲが小さい場合には、雑音により、＋として送信された信号が、−の領域で受信されたり、−として送信された信号が、＋の領域で受信されたりする。また、前記平均のＳＩＲが小さくなればなるほど、前記信号の誤りの確率は大きくなる。また、図１０においては、ＡＣＫとみなされる領域とＮＡＣＫとみなされる領域が対称であるため、平均のＳＩＲが同じである場合には、＋として送信された信号が、−の領域で受信される確率、すなわち、ＡＣＫ  ｔｏ  ＮＡＣＫ誤りの確率と、−として送信された信号が、＋の領域で受信される確率、すなわち、ＮＡＣＫ  ｔｏ  ＡＣＫ誤りの確率とは、同一となる。【０１０５】
しかしながら、図９Ａに示すように、閾値を０以外の値に設定し、ＳＩＲの値がＴｈｒｅｓｈｏｌｄ以下の領域（領域Ａ）と、ＳＩＲの値がＴｈｒｅｓｈｏｌｄよりも大きく、かつ、ＰＨＩＣＨの信号の符号が正である領域（領域Ｂ）と、ＳＩＲの値がＴｈｒｅｓｈｏｌｄよりも大きく、かつ、ＰＨＩＣＨの信号の符号が負である領域（領域Ｃ）とに分け、かつ、領域Ａと領域ＢをＡＣＫとみなし、領域ＣをＮＡＣＫとみなした場合、ＡＣＫとみなされる領域とＮＡＣＫとみなされる領域が非対称であるため、平均のＳＩＲが同じであったとしても、＋として送信された信号が、−の領域で受信される確率、すなわち、ＡＣＫ  ｔｏ  ＮＡＣＫ誤りの確率と、−として送信された信号が、＋の領域で受信される確率、すなわち、ＮＡＣＫ  ｔｏ  ＡＣＫ誤りの確率とは、異なることになる。より具体的には、平均のＳＩＲが同じであったとしても、ＡＣＫ  ｔｏ  ＮＡＣＫ誤りの確率は、ＮＡＣＫ  ｔｏ  ＡＣＫ誤りの確率に比べて小さくなる。【０１０６】
ここで、前記平均のＳＩＲとは、干渉電力Ｉが固定されていると仮定すると、基地局装置２００の送信電力により決定される値であるため、基地局２００のＰＨＩＣＨの送信電力が同じであったとしても、ＡＣＫ  ｔｏ  ＮＡＣＫ誤りの確率と、−として送信された信号が、＋の領域で受信される確率、すなわち、ＮＡＣＫ  ｔｏ  ＡＣＫ誤りの確率とは、異なることになる、と言うことができる。【０１０７】
すなわち、前記Ｔｈｒｅｓｈｏｌｄを用いることにより、ＡＣＫを受信した場合の受信信号の品質(平均のＳＩＲ)とＮＡＣＫを受信した場合の受信信号の品質(平均のＳＩＲ)が同じである場合にも、「ＡＣＫ  ｔｏ  ＮＡＣＫ誤り」の確率と「ＮＡＣＫ  ｔｏ  ＡＣＫ誤り」の確率とが異なるように、ＰＨＩＣＨの信号の復号を行うことが可能となる。あるいは、前記Ｔｈｒｅｓｈｏｌｄを用いることにより、基地局装置２００のＡＣＫを送信する場合のＰＨＩＣＨの送信電力と、ＮＡＣＫを送信する場合のＰＨＩＣＨの送信電力とが同じである場合にも、「ＡＣＫ  ｔｏ  ＮＡＣＫ誤り」の確率と「ＮＡＣＫ  ｔｏ  ＡＣＫ誤り」の確率とが異なるように、ＰＨＩＣＨの信号の復号を行うことが可能となる。【０１０８】
例えば、前記Ｔｈｒｅｓｈｏｌｄを用いることにより、ＡＣＫを受信した場合の受信信号の品質(平均のＳＩＲ)とＮＡＣＫを受信した場合の受信信号の品質(平均のＳＩＲ)が同じである場合にも、「ＡＣＫ  ｔｏ  ＮＡＣＫ誤り」の確率が０．１％となり、かる、「ＮＡＣＫ  ｔｏ  ＡＣＫ誤り」の確率が１％となるように、ＰＨＩＣＨの信号の復号を行うことが可能である。あるいは、前記Ｔｈｒｅｓｈｏｌｄを用いることにより、基地局装置２００のＡＣＫを送信する場合のＰＨＩＣＨの送信電力と、ＮＡＣＫを送信する場合のＰＨＩＣＨの送信電力が同じである場合にも、「ＡＣＫ  ｔｏ  ＮＡＣＫ誤り」の確率が０．１％となり、「ＮＡＣＫ  ｔｏ  ＡＣＫ誤り」の確率が１％となるように、ＰＨＩＣＨの信号の復号を行うことが可能である。【０１０９】
あるいは、上述した例においては、ＡＣＫが送信される場合と、ＮＡＣＫが送信される場合とで、平均のＳＩＲまたは基地局装置２００のＰＨＩＣＨに関する送信電力が同じである場合に、「ＡＣＫ  ｔｏ  ＮＡＣＫ誤り」の確率と「ＮＡＣＫ  ｔｏ  ＡＣＫ誤り」の確率とが異なるように、ＰＨＩＣＨの信号の復号を行う場合を示したが、代わりに、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が同じである場合に、ＡＣＫが送信される場合と、ＮＡＣＫが送信される場合とで、平均のＳＩＲ、または、基地局装置２００におけるＰＨＩＣＨの送信電力が異なるように、ＰＨＩＣＨの信号の復号が行われてもよい。【０１１０】
より具体的には、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が１％である場合に、ＡＣＫが送信される場合の平均のＳＩＲが、ＮＡＣＫが送信される場合の平均のＳＩＲよりも３ｄＢ小さくなるように、ＰＨＩＣＨの信号の復号が行われてもよい。あるいは、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が１％である場合に、ＡＣＫが送信される場合の送信電力が、ＮＡＣＫが送信される場合の送信電力よりも３ｄＢ小さくなるように、ＰＨＩＣＨの信号の復号が行われてもよい。【０１１１】
尚、上述した例において、平均のＳＩＲは、代わりに、Ｉｏｒ／Ｉｏｃと表現されてもよいし、Ｅｓ／Ｎ０と表現されてもよい。あるいは、前記平均のＳＩＲは、前記Ｉｏｒ／ＩｏｃやＥｓ／Ｎ０と、基地局装置２００におけるＰＨＩＣＨの送信電力とにより決定される値であってもよい。尚、前記基地局装置２００におけるＰＨＩＣＨの送信電力とは、絶対値であってもよいし、相対値であってもよい。相対値である場合には、その送信電力の値は、例えば、基地局が最大送信電力で送信した場合の、１リソースエレメントあたりの平均の送信電力と、当該リソースエレメントとの電力差により定義されてもよい。【０１１２】
尚、前記Ｔｈｒｅｓｈｏｌｄの値を大きくすることにより、領域Ａと領域Ｂの領域が大きくなり、領域Ｃの領域が小さくなるため、ＡＣＫ  ｔｏ  ＮＡＣＫ誤りの確率が小さくなり、ＮＡＣＫ  ｔｏ  ＡＣＫ  誤りの確率を大きくなる。あるいは、前記Ｔｈｒｅｓｈｏｌｄの値を小さくすることにより、領域Ａと領域Ｂの領域が小さくなり、領域Ｃの領域が大きくなるため、ＡＣＫ  ｔｏ  ＮＡＣＫ誤りの確率が大きくなり、ＮＡＣＫ  ｔｏ  ＡＣＫ  誤りの確率を小さくなる。よって、ＰＨＩＣＨ復号部７１６は、前記Ｔｈｒｅｓｈｏｌｄの値を調節することにより、ＡＣＫ  ｔｏ  ＮＡＣＫ誤りの確率、及び、ＮＡＣＫ  ｔｏ  ＡＣＫ  誤りの確率を調節することが可能となる。言い換えれば、前記Ｔｈｒｅｓｈｏｌｄの値は、ＡＣＫ  ｔｏ  ＮＡＣＫ誤りの所要品質（Ｑｕａｌｉｔｙ  Ｔａｒｇｅｔ）またはＮＡＣＫ  ｔｏ  ＡＣＫ誤りの所要品質（Ｑｕａｌｉｔｙ  Ｔａｒｇｅｔ）の少なくとも１つに基づいて設定されてもよい。【０１１３】
より具体的には、ＡＣＫ  ｔｏ  ＮＡＣＫ誤りの所要品質（Ｑｕａｌｉｔｙ  Ｔａｒｇｅｔ）が０．１％になるように、Ｔｈｒｅｓｈｏｌｄの値が決定されてもよい。あるいは、ＮＡＣＫ  ｔｏ  ＡＣＫ誤りの所要品質（Ｑｕａｌｉｔｙ  Ｔａｒｇｅｔ）が１％になるように、Ｔｈｒｅｓｈｏｌｄの値が決定されてもよい。【０１１４】
あるいは、ＡＣＫを受信した場合の受信信号の品質(平均のＳＩＲ)とＮＡＣＫを受信した場合の受信信号の品質(平均のＳＩＲ)が同じである場合に、ＡＣＫ  ｔｏ  ＮＡＣＫ誤りの所要品質（Ｑｕａｌｉｔｙ  Ｔａｒｇｅｔ）が０．１％になるように、かつ、ＮＡＣＫ  ｔｏ  ＡＣＫ誤りの所要品質（Ｑｕａｌｉｔｙ  Ｔａｒｇｅｔ）が１％になるように、Ｔｈｒｅｓｈｏｌｄの値が決定されてもよい。あるいは、ＡＣＫを受信した場合の受信信号の品質（平均のＳＩＲ）と、ＮＡＣＫを受信した場合の受信信号の品質（平均のＳＩＲ）が同じである場合に、ＡＣＫ  ｔｏ  ＮＡＣＫ誤りの所要品質（Ｑｕａｌｉｔｙ  Ｔａｒｇｅｔ）が、ＮＡＣＫ  ｔｏ  ＡＣＫ誤りの所要品質（Ｑｕａｌｉｔｙ  Ｔａｒｇｅｔ）の０．１倍になるように、Ｔｈｒｅｓｈｏｌｄの値が決定されてもよい。【０１１５】
あるいは、基地局装置２００のＡＣＫを送信する場合のＰＨＩＣＨの送信電力と、ＮＡＣＫを送信する場合のＰＨＩＣＨの送信電力が同じである場合に、ＡＣＫ  ｔｏ  ＮＡＣＫ誤りの所要品質（Ｑｕａｌｉｔｙ  Ｔａｒｇｅｔ）が０．１％になるように、かつ、ＮＡＣＫ  ｔｏ  ＡＣＫ誤りの所要品質（Ｑｕａｌｉｔｙ  Ｔａｒｇｅｔ）が１％になるように、Ｔｈｒｅｓｈｏｌｄの値が決定されてもよい。あるいは、基地局装置２００のＡＣＫを送信する場合のＰＨＩＣＨの送信電力と、ＮＡＣＫを送信する場合のＰＨＩＣＨの送信電力が同じである場合に、ＡＣＫ  ｔｏ  ＮＡＣＫ誤りの所要品質（Ｑｕａｌｉｔｙ  Ｔａｒｇｅｔ）が、ＮＡＣＫ  ｔｏ  ＡＣＫ誤りの所要品質（Ｑｕａｌｉｔｙ  Ｔａｒｇｅｔ）の０．１倍になるように、Ｔｈｒｅｓｈｏｌｄの値が決定されてもよい。【０１１６】
あるいは、上述したように、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が同じである場合に、ＡＣＫが送信される場合と、ＮＡＣＫが送信される場合とで、平均のＳＩＲ、または、基地局装置２００におけるＰＨＩＣＨの送信電力が異なるように、ＰＨＩＣＨの信号の復号が行われる場合には、以下のように、Ｔｈｒｅｓｈｏｌｄの値が決定されてもよい。【０１１７】
すなわち、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が１％である場合に、ＡＣＫが送信される場合の平均のＳＩＲが、ＮＡＣＫが送信される場合の平均のＳＩＲよりも３ｄＢ小さくなるように、前記Ｔｈｒｅｓｈｏｌｄの値が決定されてもよい。あるいは、「ＡＣＫ  ｔｏ  ＮＡＣＫ誤り」の所要品質（所要の誤り率、Ｑｕａｌｉｔｙ  Ｔａｒｇｅｔ）と「ＮＡＣＫ  ｔｏ  ＡＣＫ誤り」の所要品質（所要の誤り率、Ｑｕａｌｉｔｙ  Ｔａｒｇｅｔ）が１％である場合に、ＡＣＫが送信される場合の基地局装置２００のＰＨＩＣＨの送信電力が、ＮＡＣＫが送信される場合の基地局装置２００のＰＨＩＣＨの送信電力よりも３ｄＢ小さくなるように、前記Ｔｈｒｅｓｈｏｌｄの値が決定されてもよい。【０１１８】
尚、上述した例においては、ＡＣＫ  ｔｏ  ＮＡＣＫの所要品質が、ＮＡＣＫ  ｔｏ  ＡＣＫの所要品質よりも高い（所要の誤り率としては小さい）場合を想定したが、代わりに、ＮＡＣＫ  ｔｏ  ＡＣＫの所要品質が、ＡＣＫ  ｔｏ  ＮＡＣＫの所要品質よりも高い（所要の誤り率としては小さい）場合にも同様の復号方法を適用することが可能である。この場合、領域９における領域Ａは、ＮＡＣＫとみなされる領域となる。【０１１９】
そして、ＰＨＩＣＨ復号部７１２は、上述した方法により算出された、復号後のＰＨＩＣＨの信号、すなわち、ＡＣＫであるか、あるいは、ＮＡＣＫであるかの情報をＭＡＣ処理部７１８に入力する。【０１２０】
ＭＡＣ処理部７１８は、以下に示すように、上りリンクのユーザデータのＭＡＣ再送制御の送信処理や、下りリンクのユーザデータの再送制御の受信処理等を行う。【０１２１】
ＭＡＣ処理部７１８は、ＰＤＳＣＨ復号部７１２より復号されたＰＤＳＣＨの信号を受け取り、ＰＣＦＩＣＨ／ＰＤＣＣＨ復号部７１４より復号されたＰＤＣＣＨの信号を受け取り、ＰＨＩＣＨ復号部７１６より復号されたＰＨＩＣＨの信号を受け取る。ここで、前記ＰＤＣＣＨには、Ｄｏｎｗｌｉｎｋ  Ｓｃｈｅｄｕｌｉｎｇ  ＧｒａｎｔやＵＬ  Ｓｃｈｅｄｕｌｉｎｇ  Ｇｒａｎｔがマッピングされている。【０１２２】
ＭＡＣ処理部１０８８は、入力されたＵＬ  Ｓｃｈｅｄｕｌｉｎｇ  Ｇｒａｎｔ及びＰＨＩＣＨの信号に基づき、上りリンクのユーザデータの送信フォーマットの決定や、ＭＡＣレイヤにおける再送制御（ＨＡＲＱ）等の送信処理を行う。すなわち、ＰＣＦＩＣＨ／ＰＤＣＣＨ復号部７１４より入力されたＵＬ  Ｓｃｈｅｄｕｌｉｎｇ  Ｇｒａｎｔにより、基地局装置２００から、上りリンクにおいて共有チャネルを用いた通信を行うことを指示された場合には、ユーザ装置１００n内のデータバッファに存在するパケットデータに関して、送信フォーマットの決定や再送制御（ＨＡＲＱ）等の送信処理を行い、そのパケットデータを信号生成部７２０に与える。【０１２３】
ＭＡＣ処理部７１８は、下りリンクに関しては、例えば、ＰＤＳＣＨ復号部７１２より受け取った、復号後のＰＤＳＣＨの信号や、ＰＣＦＩＣＨ／ＰＤＣＣＨ復号部７１４より受け取った、ＤＬ  Ｓｃｈｅｄｕｌｉｎｇ  Ｇｒａｎｔに基づき、下りリンクのユーザデータのＭＡＣ再送制御の受信処理等を行う。【０１２４】
尚、本説明においては、ＭＡＣレイヤよりも上位のレイヤの処理、例えば、ＲＬＣレイヤやＰＤＣＰレイヤ等の処理は、本発明とは直接には係らないため省略する。【０１２５】
信号生成部７２０は、上りリンクで送信する上りリンクの共有チャネルやＳｏｕｎｄｉｎｇ  ＲＳ、上りリンクの制御チャネル、例えば、下りリンクの品質情報（ＣＱＩ）や下りリンクの共有チャネルの送達確認情報等の信号生成処理、例えば、符号化やデータ変調等の処理を行う。上記処理が行われた後の信号が、送信処理部１０９１に送信される。【０１２６】
送信部７２２（Ｔｘ）は、ＤＦＴ処理やＩＦＦＴ処理、ＣＰ挿入処理等の送信処理や、ベースバンドの送信シンボルを無線信号に変換する処理、ディジタルアナログ変換、周波数変換、帯域制限、電力増幅等の既知の処理を行う。【０１２７】
以下、ＰＨＩＣＨ復号部７１６におけるＰＨＩＣＨの復号方法（通信制御方法）の一例を示す。【０１２８】
＜ＰＨＩＣＨ復号方法の例＞  
ＰＨＩＣＨ復号部７１６は、ステップＳ１１０２において、ＰＨＩＣＨの受信信号のＳＩＲと、ＰＨＩＣＨの受信信号の符号（＋または−）を取得する。【０１２９】
次に、ＰＨＩＣＨ復号部７１６は、ステップＳ１１０４において、前記ＰＨＩＣＨの受信信号のＳＩＲがＴｈｒｅｓｈｏｌｄよりも大きいか否かを判定する。【０１３０】
前記ＰＨＩＣＨの受信信号のＳＩＲがＴｈｒｅｓｈｏｌｄよりも大きい場合（ステップＳＳ１１０４：ＹＥＳ）、ステップＳ１１０８に進み、それ以外の場合に（ステップＳＳ１１０４：ＮＯ）、ステップＳ１１０６に進む。【０１３１】
ステップＳ１１０６において、ＰＨＩＣＨ復号部７１６は、受信したＰＨＩＣＨをＡＣＫと判定する。【０１３２】
一方、ステップＳ１１０８において、ＰＨＩＣＨ復号部７１６は、前記ＰＨＩＣＨの受信信号の符号が＋であるか否かを判定する。【０１３３】
前記ＰＨＩＣＨの受信信号の符号が＋である場合（ステップＳ１１０８：ＹＥＳ）、ステップＳ１１０６に進み、前記ＰＨＩＣＨの受信信号の符号が＋でない場合（ステップＳ１１０８：ＮＯ）、ステップＳ１１１０に進む。【０１３４】
ステップＳ１１１０において、ＰＨＩＣＨ復号部７１６は、受信したＰＨＩＣＨをＮＡＣＫと判定する。【０１３５】
尚、上述した例においては、送信信号として、ＡＣＫは＋１で表現され、ＮＡＣＫは−１で表現される場合を仮定したが、ＡＣＫは−１で表現され、ＮＡＣＫは＋１で表現される場合にも、同様の復号方法を適用することが可能である。この場合、ステップＳ１１０８の符号の判定を逆にすることになる。すなわち、前記ＰＨＩＣＨの受信信号の符号が−である場合（ステップＳ１１０８：ＹＥＳ）、ステップＳ１１０６に進み、前記ＰＨＩＣＨの受信信号の符号が−でない場合（ステップＳ１１０８：ＮＯ）、ステップＳ１１１０に進む。
【産業上の利用可能性】
【０１３６】
上述した実施例においては、Ｅｖｏｌｖｅｄ  ＵＴＲＡ  ａｎｄ  ＵＴＲＡＮ(Ｌｏｎｇ  Ｔｅｒｍ  Ｅｖｏｌｕｔｉｏｎ或いはＳｕｐｅｒ  ３Ｇ)が適用されるシステムが説明された。しかし、本発明に係るユーザ装置及び通信制御方法は、ＰＨＩＣＨ等に相当する信号を使用するＨＡＲＱ制御を行う適切な如何なるシステムに適用されてもよい。例えば本発明は、ＨＳＤＰＡ/ＨＳＵＰＡ方式のＷ-ＣＤＭＡシステム、ＩＭＴ-Ａｄｖａｎｃｅｄシステム、ＷｉＭＡＸ,  Ｗｉ-Ｆｉ方式のシステム等に適用されてもよい。【０１３７】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。発明の理解を促すため具体的な数式を用いて説明がなされたが、特に断りのない限り、それらの数式は単なる一例に過ぎず適切な如何なる数式が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。【０１３８】
本国際出願は２００８年４月１４日に出願した日本国特許出願２００８−１０５０６２号に基づく優先権を主張するものであり、２００８−１０５０６２号の全内容を本国際出願に援用する。
【符号の説明】
【０１３９】
５０  セル
１００１、１００２、１００３、１００ｎ  ユーザ装置
２００  基地局装置
３００  アクセスゲートウェイ装置
４００  コアネットワーク
７０２  受信部(Ｒｘ)
７０４  ＣＰ除去部
７０６  高速フーリエ変換部（ＦＦＴ）
７０８  分離部（ＤＥＭＵＸ）
７１０  リファレンス信号受信部
７１２  ＰＤＳＣＨ復号部
７１４  ＰＣＦＩＣＨ／ＰＤＣＣＨ復号部
７１６  ＰＨＩＣＨ復号部
７１８  ＭＡＣ処理部
７２０  信号生成部
７２２  送信部（Ｔｘ）
【図１】
2009128404.tif 000007
【図２】
2009128404.tif 000008
【図３】
2009128404.tif 000009
【図４】
2009128404.tif 000010
【図５】
2009128404.tif 000011
【図６】
2009128404.tif 000012
【図７】
2009128404.tif 000013
【図８】
2009128404.tif 000014
【図９Ａ】
2009128404.tif 000015
【図９Ｂ】
2009128404.tif 000016
【図９Ｃ】
2009128404.tif 000017
【図１０】
2009128404.tif 000018
【図１１】
2009128404.tif 000019
【国際調査報告】
2009128404.tif 000020
2009128404.tif 000021